(57)【要約】飼料、特にウェット飼料を収容するための容器（１）であって、底面（３）と底面（３）の周まわりから張り出す側面（４）を有しているので、底面（３）と側面（４）によって形成される収容室（５）内に飼料を収容し、かつ側面（４）の底面（３）とは逆の周まわりによって形成される開口部（６）を通して排出することができ、底面（３）が、底面（３）内の孔（１０）を開放するための開放部材（９）と作用的に結合されている。本発明はさらに、飼料が収容室（５）内に収容される保存飼料、容器（１）を形成する方法、及び容器（１）を飼料及び／又は食料によって充填する方法に関する。【選択図】図７
2022501281.tif 000002
【特許請求の範囲】
【請求項１】
飼料、特にウェット飼料を収容するための容器（１）であって、底面（３）と、底面（３）の周まわりから立ち上がる側面（４）とを有するので、底面（３）と側面（４）によって形成される収容室（５）内に飼料が収容され、かつ側面（４）の、底面（３）とは逆の周まわりによって形成される開口部（６）を通して排出することができる、ものにおいて、
底面（３）が、底面（３）内の孔（１０）を開放するための開放部材（９）と作用的に結合されている、ことを特徴とする飼料を収容するための容器（１）。
【請求項２】
底面（３）が孔（１０）を有し、孔（１０）が、除去可能な開放部材（９）によって閉鎖されている、ことを特徴とする請求項１に記載の容器（１）。
【請求項３】
側面（４）が、容器（１）の排出方向（１１）に拡大する横断面を有している、ことを特徴とする請求項１又は２に記載の容器（１）。
【請求項４】
側面（４）と底面（３）が実質的に、円錐台の側面と天井面の形状を有している、ことを特徴とする請求項１から３のいずれか１項に記載の容器（１）。
【請求項５】
底面（３）及び／又は側面（４）が、収容室（５）へ向いた側にインナーコーティング、好ましくは下塗り及び／又はノンスティックコーティングを有し、好ましくは下塗りは、特に改質かつ／又はアルミ顔料の付着した、ポリエステル樹脂を有し、かつ／又は９ｇ／ｍ2と１０ｇ／ｍ2の間の面積密度を有し、かつ好ましくはノンスティックコーティングがポリエステル、フェノール樹脂及び／又はポリエステル−フェノール樹脂を有し、かつ／又は７ｇ／ｍ2ｋと９ｇ／ｍ2の間の面積密度を有している、ことを特徴とする請求項１から４のいずれか１項に記載の容器（１）。
【請求項６】
底面（３）の部分面が、収容室（５）の方向の湾入部（８）を有し、湾入部（８）が開放すべき孔（１０）を有し、かつ好ましくは開放部材（９）が湾入部（８）の内部に横たわり、かつ／又は排出方向（１１）とは逆に、側面（４）の、排出方向（１１）とは逆の一番前の点又は一番前の周よりも、小さい延びを有している、ことを特徴とする請求項１から５のいずれか１項に記載の容器（１）。
【請求項７】
開放部材（９）がフラップ（１３）を有しており、フラップ（１３）が、好ましくは湾入部（８）内に横たわっている、ことを特徴とする請求項１から６のいずれか１項に記載の容器（１）。
【請求項８】
開放部材（９）が、弾性又は粘弾性の材料、好ましくはポリ塩化ビニル−プラスチゾル、及び／又はシリコンを有している、ことを特徴とする請求項１から７のいずれか１項に記載の容器（１）。
【請求項９】
開放部材（９）が、
−底面（３）の収容室（５）とは逆の側に、又はこの底面（３）のアウターコーティングに、かつ
−底面（３）の収容室（５）へ向いた側に、又は底面（３）のこの側のインナーコーティングに、あるいは、開放すべき孔（１０）の周まわりの、底面（３）のこの側に塗布された、場合によってはインナーコーティング上に塗布された、保護コーティング及び／又は付着コーティングに、
付着しており、保護コーティング及び／又は付着コーティングが、好ましくはアルミ顔料の付着したエポキシ樹脂を有し、かつ／又は７ｇ／ｍ2と９ｇ／ｍ2の間の面積密度を有している、
ことを特徴とする請求項２及び好ましくは請求項３から８のいずれか１項に記載の容器（１）。
【請求項１０】
底面（３）とは逆の側面（４）の周まわりによって形成された開口部（６）を閉鎖するための蓋が設けられており、蓋が好ましくは、側面（４）と堅固に結合された端縁セクションと、取り外し可能な引き剥がしセクションとを有し、前記引き剥がしセクションが前記端縁セクションと取り外し可能に結合されており、かつ好ましくはアルミニウム及び／又はブリキ及び／又はプラスチック及び／又は複合プラスチックを有している、ことを特徴とする請求項１から９のいずれか１項に記載の容器（１）。
【請求項１１】
前記端縁セクションが開口部（６）へ向いた側において、排出方向（１１）に側面（４）と正しく整合している、ことを特徴とする請求項１０に記載の容器（１）。
【請求項１２】
底面（３）及び／又は側面（４）が、金属、特に金属シート、及び／又はプラスチック及び／又は複合プラスチックを有している、ことを特徴とする請求項１から１１のいずれか１項に記載の容器（１）。
【請求項１３】
保存飼料において、
飼料が、請求項１から１２のいずれか１項に記載の容器（１）の収容室（５）内に収容されている、ことを特徴とする保存飼料。
【請求項１４】
側面（４）と底面（３）の、収容室（５）へ向いた側にエアロゾルとして塗布された分離剤、好ましくは０．１と１０質量パーセントの間のキサンタンと９０質量パーセントと９９．９質量パーセントの間のオイルから、特に好ましくは０．５質量パーセントと３質量パーセントの間のキサンタンと９７質量パーセントと９９．５質量パーセントの間のオイルからなる、さらに好ましくは実質的に１質量パーセントのキサンタンと９９質量パーセントのオイルからなる混合物が、飼料を実質的に側面（４）及び底面（３）から分離する、ことを特徴とする請求項１３に記載の保存飼料。
【請求項１５】
飼料が、実質的に空間的に分離された２つの成分からなり、前記２つの成分のｐＨ値が好ましくは１未満だけ、特に好ましくは０．５未満だけ、かつ／又は前記２つの成分の塩含有量が好ましくは５パーセント未満だけ、特に好ましくは２．５パーセント未満だけ、かつ／又は前記２つの成分の水分活性値が好ましくは０．２未満だけ、特に好ましくは０．１未満だけ、異なっている、ことを特徴とする請求項１３又は１４に記載の保存飼料。
【請求項１６】
請求項１から１２のいずれか１項に記載の容器（１）を形成する方法であって、該方法が以下のステップ：
−好ましくは側面（４）と底面（３）の、収容室（５）へ向いた側にインナーコーティングを塗布するステップと、
−底面（３）を、底面（３）内の孔（１０）を開放するための開放部材と作用的に結合するステップと、を有する、
容器（１）を形成する方法。
【請求項１７】
底面（３）を、底面（３）内の孔（１０）を開放するための開放部材（９）と作用的に結合するステップが次のステップ：
−好ましくは保護コーティング及び／又は付着コーティングを、孔（１０）の周まわり内で底面（３）の、収容室（５）へ向いた側へ塗布するステップと、
−底面（３）に孔（１０）を打ち抜くステップと、
−底面（３）の、収容室（５）とは逆の側から開放部材（９）の材料組成を塗布するステップと、
−底面（３）の、収容室（５）へ向いた側から開放部材（９）の材料組成を塗布するステップと、を有する、
ことを特徴とする請求項１６に記載の容器（１）を形成する方法。
【請求項１８】
請求項１から１２のいずれか１項に記載の容器（１）を、飼料、特にウェット飼料で充填する方法において、
−側面（４）と底面（３）の、収容室（５）へ向いた側へ分離剤がエアロゾルとして塗布され、前記分離剤が好ましくは０．１と１０質量パーセントの間のキサンタンと９０質量パーセントと９９．９質量パーセントの間のオイルから、特に好ましくは０．５質量パーセントと３質量パーセントの間のキサンタンと９７質量パーセントと９９．５質量パーセントの間のオイルからなる、さらに好ましくは実質的に１質量パーセントのキサンタンと９９質量パーセントのオイルからなる混合物を有し、かつ
−次に、飼料が収容室（５）内へ充填され、あるいは飼料の第１の成分が、そしてその後に飼料の第２の成分が収容室（５）内へ充填される、
ことを特徴とする容器を充填する方法。
【発明の詳細な説明】
【技術分野】
【０００１】
本発明は、飼料、特にウェット飼料を収容するための容器に関するものであって、底面と、底面の周まわりから張り出す側面と、を有しているので、底面と側面とによって形成される収容室内に飼料を収容し、かつ側面の、底面とは逆の周まわりによって形成される開口部を通して空にすることができる。本発明はさらに、保存飼料（Konservenfutter）、飼料、特にウェット飼料を収容するための容器を形成する方法及び飼料、特にウェット飼料を収容するための容器を充填する方法に関する。
【背景技術】
【０００２】
飼料、特に猫用飼料及び特にウェット飼料をケース又はアルミニウムシェル内に、たとえばポーションあたりの梱包単位で、梱包することが知られている。
【０００３】
さらに、飼料ケースのためではないが、一般的にケースのために、蓋を介して通気を行うことが、知られている。
【０００４】
すなわち特許文献１（米国特許出願公開第５４３９７２４（Ａ）号明細書）は、容器を閉鎖するための蓋を示しており、その場合に蓋は、容器内に形成される真空によって容器に保持されている。この蓋は、圧力除去孔を有しており、それが接着剤によって閉鎖される。
【０００５】
さらに特許文献２（米国特許出願第３４６２０３７号明細書）は、容器のための蓋を示しており、その蓋は負圧において保持され、第１の材料からなる壁と、クラスター内に配置された多数の開口部を有している；かつ第２の材料からなる閉鎖部材を示し、その閉鎖部材は壁の一方の側の上方で開口部の束の領域内に位置し、かつ多数のセクションを有しており、それらのセクションはそれぞれ開口部の１つ内に密に収容されており、材料の１つが弾性的に変形可能であって、その場合に閉鎖部材のセクションの各所望のセクションは、閉鎖部材へ必要な引き戻し力を加えることによって付属の開口部から除去することができ、それによって容器と周囲雰囲気との間に圧力補償が得られる。
【０００６】
特許文献３（仏国特許出願公開第２６３９００２（Ａ１）号明細書）は、熱成型によって離型容器を形成する方法を示している。暖炉の上側にカバーが取り付けられ、カバーの除去が空気の流入を可能にする。
【０００７】
特許文献４（独国実用新案登録第２０１１７５０１（Ｕ）号明細書）は、プリンなどのような、ひっくり返して出す製品のための、杯の形状のポーション容器を示している。このポーション容器は底を有しており、その底に閉鎖可能かつ外部から開放すべき通気開口部が形成されている。移送状態においては、通気開口部は引き抜き可能なシールラベルによって閉鎖されている。
【０００８】
特許文献５（米国特許出願公開第４１５４３５４（Ａ）号明細書）は、容器からの食品の放出を改良するために、通気構造を有する熱可塑性容器を示している。その場合に深絞りされた突出部が設けられており、その突出部は、容器の底領域内に通気をもたらすために、指の爪又はフォークによって小孔をあけることができる。
【０００９】
しかし、従来技術の飼料ケースによっては、工具を使わずに、もしくは手を汚さずに、中身全体をほぼ残りなく取り出すこと、もしくはそれができるように、飼料を詰め替えることは、不可能である。特に飼料は、取り出す際にその形状を維持しない。さらに現在普及している動物飼料の製造方法においては、被覆としての第２の成分を有する動物飼料ペーストを該当するケースから、特に見かけのよい製品が生じるように取り出すことは、不可能である。従来技術のケースの使用は、場合によっては不衛生である。というのは、飼料との接触を形成しなければならないからである。そして特に、従来の保存ケース内のウェット飼料の既知のポジティブな特性、特に動物による高い受け入れ、好ましくは少なくとも２年にわたって冷蔵せずに持つこと、重ねられること、及び梱包が丈夫であることを維持しなければならず、しかし梱包は容易に開放可能でなければならず、かつ大量技術的製造と充填もしくはシリーズ製造が可能でなければならない。
【先行技術文献】
【特許文献】
【００１０】
【特許文献１】米国特許出願公開第５４３９７２４（Ａ）号明細書
【特許文献２】米国特許出願第３４６２０３７号明細書
【特許文献３】仏国特許出願公開第２６３９００２（Ａ１）号明細書
【特許文献４】独国実用新案登録第２０１１７５０１（Ｕ）号明細書
【特許文献５】米国特許出願公開第４１５４３５４（Ａ）号明細書
【発明の概要】
【発明が解決しようとする課題】
【００１１】
本発明の目的は、従来技術の上述した欠陥の少なくとも１つを阻止し、あるいは減少させることである。
【課題を解決するための手段】
【００１２】
これは、冒頭で説明したような容器によって得られ、その場合に底面が、底面内の孔を開放するための開放部材と作用的に結合されている。さらにこれは、保存飼料によって得られ、その場合に飼料が容器の収容室内に説明したように収容される（保存飼料の代わりに保存食料及び飼料の代わりに食料であってもよい）；説明されるように、容器を形成する方法によっても得られ、その場合に方法は以下のステップを有する：好ましくは側面と底面の収容室へ向いた側へインナーコーティングを塗布し、かつ底面を底面内の孔を開放するための開放部材と作用的に結合する；説明されるように、飼料、特にウェット飼料によって容器を充填する方法によって得られ、その場合に側面と底面の収容室へ向いた側に分離剤がエアロゾルとして塗布され、その場合に分離剤は好ましくは、０．１と１０質量パーセントの間のキサンタンと９０質量パーセントと９９．９質量パーセントの間のオイルから、特に好ましくは０．５質量パーセントと３質量パーセントの間のキサンタンと９７質量パーセントと９９．５質量パーセントの間のオイルからなる、さらに好ましくは実質的に１質量パーセントのキサンタンと９９質量パーセントのオイルからなる、混合物を有しており、そして次に飼料が収容室内へ充填され、あるいは飼料の第１の成分が、そしてその後に飼料の第２の成分が収容室内へ充填される。質量パーセントというのは、乾燥質量内の、すなわち水の割合を引いた後の、質量パーセントである。
【００１３】
底面内の孔を開放するために、底面と作用的に結合された開放部材を設けることにより、もしくはしかるべき容器を形成する方法によって、容器もしくは保存飼料の底面を上面になるようにひっくり返すことが可能である。次に、開放部材によって底面内の孔を開放することができる。したがって容器から飼料を（ほぼ）すべて、かつ実質的に形状変化なしで、表面上へ滑らせることができる。というのは孔を通して空気が収容室内の飼料の上方へ吹き込むことができるからである。それによってさらに、飼料は、排出開口部が下を向いていても、孔が開放されるまでは、収容室内に保持することができる。側面と底面の収容室へ向いた側にインナーコーティングが効果的に塗布されていることによって、それぞれの面における飼料の付着を積極的に調節することができ、かつ飼料が簡単に滑り出ることができるように、調節することができる。インナーコーティングは、好ましくは２層で塗布される；まず下塗りが塗布されて、次にノンスティックコーティングが塗布される。同様に、好ましくは（それぞれの動物にとって）食べることのできる分離剤を、付着を積極的に調節するために用いることができる。
【００１４】
容器の好ましい実施形態において、底面は孔を有しており、その場合に孔は、除去可能な開放部材によって閉鎖されている。したがって開放部材は、特に孔の除去可能なシールである。
【００１５】
開放部材は、特にそれが、シールのように底面の孔を閉鎖するために用いられる場合に、高い滅菌温度に耐えなければならず、さらに保存期間にわたって密であり続けなければならず、この種の容器も通常、充填後（かつ場合によっては閉鎖後）にその高い滅菌温度にさらされる。したがって開放部材の材料として、特に弾性的もしくは粘弾性的な材料が適している。特に好ましくは開放部材は、ポリマー又は１つのプラスチゾル、たとえばＰＶＣを含む材料又は複数のプラスチゾルあるいはシリコンを含む材料、あるいはそれらの組合せからなる。また、開放部材が他の材料（たとえばアルミニウム、プラスチック及び／又は複合プラスチックその他）から形成されることも、考えられる。
【００１６】
さらに、開放すべき、かつ／又はすでに容器内に存在している孔は、一方でできる限り大きくして、それによって空気の通過をできる限り大きくし、他方ではできる限り小さくして、容器の閉鎖安全性と安定性を減少させないようにしなければならない。さらにオートクレーブプロセスの際に発生する圧力変動に耐えられるようにしなければならない。好ましくは孔は、実質的に円形である。孔直径あるいは容器を立てた位置において表面に対して平行の平均的な広がりは、０．５ｍｍと１０ｍｍの間、好ましくは１．５ｍｍと４ｍｍの間、さらに好ましくは２ｍｍから３ｍｍ、特に好ましくは２．５ｍｍであると、好ましいことが明らかにされている。容器を立てた位置における表面に関して、孔直径又は容器を立てた位置における表面に対して平行な平均的な広がりが、表面に対して平行の底面の平均的な広がりの１と１０パーセントの間、特に好ましくは３と６パーセントの間に相当すると、効果的である。
【００１７】
立てた位置において、容器は底面を下にして立つ；側面は、実質的に上を向いている。この立てた位置において、容器は通常、充填される。容器を保管する場合に、底面は通常上を向いている；すなわち容器は、たとえば排出開口部を定める周まわりを下にして立つ。
【００１８】
代替的に、たとえば底面にプレ刻印もしくは部分的な打ち抜きを設けることもでき、その場合に開放部材は、底面の適切に画成された部分を底面から除去して、孔を形成するために用いられる。その場合に開放部材は、特に突起、もしくはリフトフラップあるいはリフト突出部とすることができ、それによって底面から画成された／プレ刻印された部分を除去し、もしくは押し出すことができる。さらに開放部材としてフラップが考えられ、そのフラップによって底面の画成された／プレ刻印された部分を底面から引き出し、もしくは引きちぎることができる。
【００１９】
側面が容器の排出方向に拡大する横断面を有していると、効果的である。したがって飼料は滑り出す際に即座に壁から離れ、かつ全体としてその形状をより良好に保つことができる。
【００２０】
排出方向とは、底面に対して法線方向（あるいは、底面が実質的に平坦でない限りにおいて、容器を立てた位置において表面に対して法線方向）であり、かつ底面から、側面の底面とは逆の周まわりによって形成される開口部を指す方向であって、その開口部を通して飼料を排出することができる。
【００２１】
好ましい実施形態において、側面と底面は、実質的に円錐台の側面と天井面の形状を有している。好ましくはそれは、まっすぐな円錐台であって、その天井面と底面は平行であり、かつその高さは天井面に対して法線方向である。好ましくは容器は、猫飼料のための通常のケースの形状を有している。
【００２２】
飼料ができる限り簡単に残りなく、かつ実質的にすべてが容器から離れることができるようにするために、底面及び／又は側面が収容室へ向いた側に、好ましくは下塗り及び／又はノンスティックコーティングを有する、インナーコーティングを備えていると、効果的であって、その場合に好ましくは下塗りは、特に改質された、かつ／又はアルミ顔料の付着した、ポリエステル樹脂を有し、かつ／又は９ｇ／ｍ2と１０ｇ／ｍ2の面積密度を有し、かつ好ましくはノンスティックコーティングがポリエステル、フェノール樹脂及び／又はポリエステル−フェノール樹脂を有し、かつ／又は７ｇ／ｍ2と９ｇ／ｍ2の間の面積密度を有している。特に、容器の内表面が滑らかであり、たとえば微視的に滑らかであると、効果的である。好ましくはインナーコーティングは、１１０℃を越える滅菌温度においても飼料が容器に付着しないようにするために、用いられる。さらに、インナーコーティングによる可能な効果をずっと高めるために、充填前に容器に種々のオイルと分離剤、たとえばオイルとキサンタンが噴霧されると、効果的である。
【００２３】
好ましくは収容室内の底面上で、開放部材によって閉鎖されている孔上に保護コーティング及び／又は付着コーティングが塗布される。保護コーティング及び／又は付着コーティングは、腐食性のケース材料において孔領域内の腐食を阻止する。さらに、保護コーティング及び／又は付着コーティングは、底面における開放手段の付着を改良するために用いることができるので、たとえば放出する際に開放手段が飼料内へ、あるいは飼料上に移動することがない。
【００２４】
好ましい実施形態において、底面の部分面が収容室の方向に湾入部を有しており、その場合に湾入部が開放すべき孔を有し、かつその場合に好ましくは開放部材は湾入部８の内部に横たわっており、かつ／又は排出方向とは逆に、側面の排出方向とは逆の一番前の点あるいは一番前の周よりも、小さい延びを有している。したがって、たとえば移送路上での、擦れ落ちを阻止することができる。
【００２５】
開放部材は、たとえば利用者が指１本もしくは指の爪を底面に沿って移動させるだけで、開放部材をスライドさせ、あるいは持ち上げて、孔が開放されるように、底面と作用的に結合することができる。開放部材がフラップを有することができ、その場合にフラップは好ましくは、底面の湾入部内に横たわる。したがって利用者は、フラップを引っ張って、底面と作用的に結合されている開放部材によって底面に孔をあけることができる。たとえば、開放部材がフラップの形状を有することもできる。
【００２６】
開放部材が弾性的又は粘弾性的な材料、好ましくはポリ塩化ビニル−プラスチゾル及び／又はシリコンを有していると、効果的である。これは特に、底面が開放部材によって閉鎖された孔を有しており、その孔がシールとしての開放部材によって閉鎖される場合に、効果的である。したがって形成は特に簡単であって、開放部材がたとえば打ち抜かれた孔上に、好ましくは収容室とは逆の側からも、収容室へ向いた側からも、設けられている。
【００２７】
好ましい実施形態において、開放部材は、
−底面の収容室とは逆の側、あるいは底面の収容室とは逆の側のアウターコーティングに、かつ
−底面の収容室側又は底面の収容室側のインナーコーティングに、あるいは底面の開放すべき孔の周囲において、場合によってはインナーコーティング上に、塗布された保護コーティング及び／又は付着コーティングに、
付着し、その場合に保護コーティング及び／又は付着コーティングは好ましくはアルミ顔料の付着したエポキシド樹脂及び／又は７ｇ／ｍ2と９ｇ／ｍ2の間の面積密度を有する。
したがって孔を閉鎖する開放部材の密閉性を改良することができる。
【００２８】
側面の底面とは逆の周まわりに形成された開口部を閉鎖するための蓋が設けられていると、効果的である。その場合に蓋は、側面と堅固に結合された端縁セクション（たとえばカバーリング）と取り外し可能な引き剥がしセクションとを有しており、その引き剥がしセクションは端縁セクションと取り外し可能に結合されており、かつ好ましくはアルミニウム及び／又はブリキ及び／又はプラスチック及び／又は複合プラスチックを有している。端縁セクションは、側面と永続的に、たとえば折りたたみ又はフランジ止めによって結合されている。取り外し可能な引き剥がしセクションは、たとえば端縁セクション上に接着し、もしくは密着させ、あるいはそれと一体とすることができ、その場合に部分的に打ち抜かれた引き剥がすべき箇所が設けられている。飼料を与える場合に、まず蓋を取り去って、ケースの底面を上にするので、飼料は容器から重力によってほぼ一体的に引き出される。
【００２９】
引き剥がしセクションを除去した後にもたらされる開口部は、残りの側面と同一平面となり、したがって排出する際に飼料の障害となるものがない。したがって、端縁セクションが開放部材へ向いた側において排出方向に側面と正しく整合すると、効果的である。これは、側面の内壁、すなわち容器が充填された状態において飼料と接触する、側面の壁が、端縁セクションと正しく整合していることを、意味している。すなわち排出方向に見て、端縁セクションは側面の周まわりによって形成される、開口部の面内へ張り出さず、かつ排出する際に飼料の一部にとってじゃまにならない。したがって飼料は、実質的に全部、かつ形状変化なしで容器から排出することができる。たとえば、引き剥がしセクションが端縁セクションと接着結合され、もしくは密着している場合に、端縁セクションの、引き剥がしセクションが接着され／密着している載置面は、開口部から離れた方を向いている。引き剥がしセクションが、部分打ち抜きによって除去可能である限りにおいて、部分打ち抜きは実質的に、側面の開口部を形成する周まわりに従い、かつ／又は、それぞれ排出方向に考えて、その外部に位置するが、周まわりの内部に位置しない。
【００３０】
通常、飼料容器、特に飼料ケースの側面の開口部を形成する周まわりは、たとえば安定性を向上させ、もしくは蓋との結合を可能にするために、端縁セクション、フランジ、リップ又は折りたたみを有している。したがって本発明においては、この種の装置が従来のケースにおいて一般的であるように、収容室の方向へ立っていないと、効果的である。したがって好ましい実施形態において、側面はその底面とは逆の周まわりから張り出す面を有しており、その面は開口部とは逆を向いている。この面は、特に、一方で側面と底面に全体として安定性を与えるために用いられ、他方では容器を蓋によって閉鎖するために用いられる。
【００３１】
好ましい実施形態において、底面及び／又は側面は金属、たとえばアルミニウム、鉄、鋼又はそれらの混合物、特に、たとえば上述した基礎材料からなる金属シート及び／又はプラスチック及び／又は複合プラスチックを有している。
【００３２】
本発明に係る保存飼料を参照して、容器の収容室内に飼料を収容することによって、ここで説明するように、飼料をほぼ残らず、全部かつ／又は補助手段を使用せずに、もしくは指を汚さずに、容器から排出し／滑り出させることができる。
【００３３】
側面と底面の収容室へ向いた側にエアロゾルとして塗布される分離剤、好ましくは０．１と１０質量パーセントの間のキサンタンと９０質量パーセントと９９．９質量パーセントの間のオイルから、特に好ましくは０．５質量パーセントと３質量パーセントの間のキサンタンと９７質量パーセントと９９．５質量パーセントの間のオイルからなる、さらに好ましくは実質的に１質量パーセントのキサンタンと９９質量パーセントのオイルからなる混合物が、飼料を実質的に側面及び底面から分離すると、効果的である。この分離剤によって、特に容器における飼料の付着が減少されるので、飼料は容器からより容易に剥がれる。特に容器のインナーコーティングの効果も、改良することができる。分離剤は、好ましくは（容器の充填前に）細かく霧化されたエアロゾルとして塗布されるので、それによって、分離剤が飼料内に沈積することを阻止することができる。
【００３４】
飼料が実質的に空間的に分離された（混合されていない）２つの成分からなり、その場合に２つの成分のｐＨ値は、好ましくは少なくとも１未満だけ、好ましくは０．５未満だけ、かつ／又は２つの成分の塩含有量が、より低い塩含有量を有する成分の塩含有量の、好ましくは５パーセント未満だけ、特に好ましくは２．５パーセント未満だけ、異なり、かつ／又は２つの成分の水分活性値が０．２未満だけ、特に好ましくは０．１未満だけ異なっていると、効果的である。水分活性（ａW−）値は、所定の温度−ここでは２０℃−における純粋な水の飽和蒸気圧（Ｐ0）に対する食品内の水蒸気部分圧（Ｐ）の比として定められている；ａＷ＝Ｐ／Ｐ0。２つの成分を使用し、その場合に飼料を容器から放出した後に、一方の成分が好ましくは第２の成分を実質的に覆うように配置されていることによって、特に見た目のよい飼料を得ることができ、たとえば養うべき動物による受け入れを高めることができる。成分の組成に関する類似性によって、特に保管が長くなる場合に、２つの成分の混合もしくは２つの成分の間の材料移動がもたらされることを、阻止することができる。さらに、２つの成分の材質は似たものとされ、したがって飼料をあてがわれる動物をまごつかせることがない。
【００３５】
好ましくは２つの成分は、好ましくはペーストとソースである。２つの成分は、特に収容室内の、底面／天井面に対して平行に方位づけされた領域内に設けられる。好ましくはペーストは天井近傍の領域内に、そしてソールは底近傍の領域内に設けられる。排出する際に、まずペーストが流出し、そのペーストのすぐ上に次に流れるソースが注がれる。飼料の全体積に関して、すなわち２つの成分の全体積に関して、第１の成分、好ましくはペーストが、少なくとも２０体積パーセントかつ／又は他の成分、特にソースが、少なくとも２０体積パーセントであると、好ましい。
【００３６】
容器を形成するための本発明に係る方法に関して、側面と底面は、たとえば従来の方法によって形成することができ、その場合に次に好ましくは、側面と底面の収容室へ向いた側にインナーコーティングが塗布され、その後底面が底面内の孔を開放するための開放部材と作用的に結合される。
【００３７】
この方法の好ましい実施形態において、底面内の孔を開放するための開放部材と底面を作用的に結合することは、以下のステップを有する：
−好ましくは、底面の収容室へ向いた側の孔の周囲に保護コーティング及び／又は付着コーティングを塗布し；
−底面に孔を打ち抜き；
−底面の収容室とは逆の側から開放部材の材料組成を塗布し；かつ
−底面の収容室へ向いた側から開放部材の材料組成を塗布する。
特に最後に挙げた２つのステップの順序は、入れ替えることもできる。方法のこの変形例は、底面内の孔を開放するための、底面と作用的に結合された開放部材を形成する、特に簡単な可能性を表す。さらに、両側から開放部材の材料組成を塗布することは、密閉性の改良をもたらす。
【００３８】
これまで説明されたように、飼料によって容器を充填する方法に関して、分離剤を設けることによって、容器から飼料もしくは飼料の２つの成分を特に良好に剥がすことができる。
【００３９】
以下、図を用いて本発明を説明し、その図は実施形態を示すものであって、保護領域を限定するものではない。
【図面の簡単な説明】
【００４０】
【図１】図１は、本発明に係る容器の実施形態を、容器を立てた位置で表面に対して法線方向に示す横断面図である。
【図２】図２は、図１と同じ実施形態の詳細を示している。
【図３】図３は、図１と同じ実施形態の底面を下から示す上面図である。
【図４】図４は、図１と同じ実施形態を、開放手段なしで斜め上から示している。
【図５】図５は、図１と同じ実施形態を、開放手段なしで斜め下から示している。
【図６】図６は、本発明に係る容器の実施形態を、持ち上げた蓋と共に斜め上から示している。
【図７】図７は、本発明に係る容器の実施形態を、持ち上げた蓋と共に斜め下から示している。
【発明を実施するための形態】
【００４１】
図１は、本発明に係る容器１の好ましい実施形態を片側から、容器１を立てた位置で表面２に対して法線方向の横断面で示している。容器１は、底面３と底面３の周まわりから立ち上がる側面４とを有している。底面３と側面４が収容室５を形成し、その中に飼料を収容して、保存飼料を形成することができる。さらに側面４の、底面とは逆の周まわりが開口部６を形成し、その開口部を通して飼料を容器１から排出することができる。この実施形態において、開口部６は蓋７によって閉鎖されている。蓋７は、端縁セクション１２と引き剥がしセクション１４を有している。容器１の底面３と側面４は、実質的に円錐台の天井面と側面を形成しており、その場合に蓋７は、実質的に円錐台の底面に相当する。底面３は、収容室５の方向の湾入部８内に、取り外し可能な開放部材９によって閉鎖された孔１０を有しており、底面３がその開放部材と作用的に結合されている。その場合に開放部材９は、底面３の収容室５へ向いた側にも、収容室とは逆の側にも付着している。開放部材９を除去することによって孔１０を開放することができるので、孔１０を通して空気が容器１内へ、特に底面３と容器１に充填することができる飼料との間に、達することができる。
【００４２】
排出方向１１が、一部破線の矢印で記入されている。側面４は、排出方向に拡大する横断面を有している。
【００４３】
図２は、図１と同じ実施形態の側面４の、底面３とは逆の周まわりを詳細に示している。
【００４４】
図３は、図１と同じ実施形態の底面３を、排出方向１１に見た図である。その場合に切り欠き８内に、底面３と作用的に結合された開放部材９が横たわっており、その開放部材が孔１０を閉鎖している。したがってここでは、開放部材９は、除去可能なシールであって、それが孔１０を閉鎖している。さらに、開放部材９はフラップ１３を有しており、その場合に開放部材９はフラップ１３によって、あるいは簡単に逆方向／下方へ移動させることにより、除去可能とすることができる。
【００４５】
容器１の代替的な実施形態において、ここでも底面３と底面３の周まわりから立ち上がる側面４が設けられている。底面３と側面４が収容室５を形成し、その中に飼料を収容することができる。さらに、側面４の、底面３とは逆の周まわりが開口部６を形成しており、その開口部を通して容器１から飼料を排出することができる。底面３内の孔１０を開放するための開放部材９が、底面３と作用的に結合されている。この実施形態において、容器１は２つに分かれており、その場合に第１の部分が底面３と側面４によって形成される。第２の部分は実質的に、側面４の、底面３とは逆の周まわりの形状を有している。側面４が実質的に円錐台の側面の形状を有している限りにおいて、第２の部分は実質的に、側面４の底面３とは逆の周まわりと実質的に同一の直径を有するリングの形状を有している。その場合に第２の部分は、第１の部分と、たとえばフランジ止め、折りたたみ、接着又は溶接によって結合されている。第２の部分は、張り出した端縁を有することができ、その端縁が引き剥がし蓋７の載置面１２として用いられる。代替的に、第２の部分はつながった面として形成することもでき、その場合に面の周まわりは実質的に側面４の、底面３とは逆の周まわりに相当する。その場合に第２の部分の面は、ループに沿って部分的なフライス削りを有することができ、その場合にフライス削りの内部の部分面は、たとえばシールリングによって引き剥がすことができる；したがって部分面は、この実施形態において、引き剥がし蓋７を形成する。
【００４６】
図４は、図１と同じ容器１の実施形態を斜め上から示しており、その場合に開放手段９は取り除かれており、もしくは示されていない。図５は同様に図１と同じ実施形態を、開放手段なしで、斜め下から見て示している。特に孔１０と切り欠き８（収容室５の方向に）が見られ、その孔は、開けられる前に開放手段９によって閉鎖され、かつ切り欠きの内部においては、容器１の底面３上に開放手段９（図示せず）が横たわっている。
【００４７】
図６は、本発明に係る容器１の実施形態を、持ち上げた蓋７と共に斜め上から示している。図７は、図６と同じ実施形態を、持ち上げられた蓋７と共に斜め下から示している。蓋７は、端縁セクション１２と引き剥がしセクション１４とを有している。その場合に通常のように、端縁セクション１２は側面４の、開口部６を形成する周まわりと、たとえば折りたたみ又はフランジ止めによって、堅固に結合され、もしくは結合されている。その場合に容器１は、引き剥がしセクション１４が端縁セクション１２から除去されることによって、開放することができる。開放手段９は、フラップ１３によって除去することができ、その場合に底面３内に孔（見えない）が開放される。
【図１】
2022501281.tif 000003
【図２】
2022501281.tif 000004
【図３】
2022501281.tif 000005
【図４】
2022501281.tif 000006
【図５】
2022501281.tif 000007
【図６】
2022501281.tif 000008
【図７】
2022501281.tif 000009
【国際調査報告】
2022501281.tif 000010
2022501281.tif 000011
2022501281.tif 000012
2022501281.tif 000013